(57)【要約】【課題】各台計数方式を採用した遊技台によって発行された遊技媒体の計数値が関連付けられた記録媒体によって、非各台計数方式の遊技台へ台移動をすることができること。【解決手段】管理装置が、計数機能付台間装置から受信した記録媒体の媒体識別子と計数値とを関連付けて計数値情報として記憶して、台間装置が、記録媒体から媒体識別子を読み取り、媒体識別子に基づいて管理装置から当該媒体識別子に関連付けられた計数値を取得して、計数値によって所定の払出数の遊技媒体の払出指示を行うとともに当該計数値から払出数を減算するように構成する。【選択図】図２
2010246900.tif 000002
【特許請求の範囲】
【請求項１】
貨幣若しくは有価価値と関連付けられた記録媒体を受け付けて遊技媒体の貸出処理を行う台間装置と、前記台間装置の機能に加え獲得した前記遊技媒体の計数機能を有する計数機能付台間装置と、前記記録媒体の有価価値ならびに獲得した前記遊技媒体の計数値を前記記録媒体に関連付けて管理する管理装置とを含んだ計数値管理システムであって、
前記管理装置は、
前記計数機能付台間装置から受信した前記記録媒体の媒体識別子と前記計数値とを関連付けて計数値情報として記憶する計数値情報記憶手段
を備え、
前記台間装置は、
前記記録媒体から前記媒体識別子を読み取る媒体識別子読取手段と、
前記媒体識別子読取手段によって読み取られた前記媒体識別子に基づいて前記管理装置から当該媒体識別子に関連付けられた前記計数値を取得する計数値取得手段と、
前記計数値取得手段によって取得された前記計数値によって所定の払出数の前記遊技媒体の払出指示を行うとともに当該計数値から前記払出数を減算する減算手段と
を備えたことを特徴とする計数値管理システム。
【請求項２】
前記台間装置は、
前記計数値によって払出を行う場合、前記遊技媒体の貸出を行う場合と同じ機構を用いて前記遊技媒体を払出す遊技媒体払出手段
をさらに備えたことを特徴とする請求項１に記載の計数値管理システム。
【請求項３】
前記台間装置は、
前記計数値取得手段によって取得された前記計数値を表示する表示手段
をさらに備えたことを特徴とする請求項１または２に記載の計数値管理システム。
【請求項４】
遊技店に設けられ前記遊技媒体を計数する計数装置
をさらに備え、
前記計数装置は、
前記媒体識別子読取手段と、
前記媒体識別子読取手段によって読み取られた前記媒体識別子および前記遊技媒体を計数した前記計数値を前記管理装置へ送信する送信手段と
を備えたことを特徴とする請求項１〜３のいずれか一つに記載の計数値管理システム。
【請求項５】
遊技店に設けられ前記遊技媒体を払出す払出装置
をさらに備え、
前記払出装置は、
前記媒体識別子読取手段と、
前記計数値取得手段と、
前記減算手段と
を備えたことを特徴とする請求項１〜４のいずれか一つに記載の計数値管理システム。
【請求項６】
前記台間装置は、
貨幣若しくは有価価値からの前記遊技媒体の貸出を行う遊技媒体貸出指示手段
をさらに備え、
前記計数値と関連付けられた前記記録媒体を受け付けた後に、前記遊技媒体貸出指示手段を操作された場合、前記計数値からの前記遊技媒体を優先的に払出す
ことを特徴とする請求項１〜５のいずれか一つに記載の計数値管理システム。
【請求項７】
貨幣若しくは有価価値と関連付けられた記録媒体を受け付けて遊技媒体の貸出処理を行う台間装置と、前記台間装置の機能に加え獲得した前記遊技媒体の計数機能を有する計数機能付台間装置とを含んだ計数値管理システムであって、
前記記録媒体は有価価値若しくは計数値の少なくともいずれかの遊技媒体払出情報を記憶しており、
前記台間装置は、
前記記録媒体から前記遊技媒体払出情報を読み取る情報読取手段と、
前記情報読取手段によって読み取られた情報に基づいて前記計数値を取得する計数値取得手段と、
前記計数値取得手段によって取得された前記計数値によって所定の払出数の前記遊技媒体の払出指示を行うとともに当該計数値から前記払出数を減算する減算手段と
を備えたことを特徴とする計数値管理システム。
【請求項８】
貨幣若しくは有価価値と関連付けられた記録媒体を受け付けて遊技媒体の貸出処理を行う台間装置と、前記台間装置の機能に加え獲得した前記遊技媒体の計数機能を有する計数機能付台間装置と、前記記録媒体の有価価値ならびに獲得した前記遊技媒体の計数値を前記記録媒体に関連付けて管理する管理装置とを含んだ計数値管理方法であって、
前記計数機能付台間装置から受信した前記記録媒体の媒体識別子と前記計数値とを関連付けて計数値情報として前記管理装置が記憶する計数値情報記憶工程と、
前記台間装置が前記記録媒体から前記媒体識別子を読み取る媒体識別子読取工程と、
前記媒体識別子読取工程によって読み取られた前記媒体識別子に基づいて前記管理装置から当該媒体識別子に関連付けられた前記計数値を前記台間装置が取得する計数値取得工程と、
前記計数値取得工程によって取得された前記計数値によって所定の払出数の前記遊技媒体の払出指示を行うとともに当該計数値から前記払出数を前記台間装置が減算する減算工程と
を含んだことを特徴とする計数値管理方法。
【請求項９】
前記計数値によって払出を行う場合、前記遊技媒体の貸出を行う場合と同じ機構を用いて前記遊技媒体を前記台間装置が払出す遊技媒体払出工程
をさらに含んだことを特徴とする請求項８に記載の計数値管理方法。
【発明の詳細な説明】
【技術分野】
【０００１】
この発明は、貨幣若しくは有価価値と関連付けられた記録媒体を受け付けて遊技媒体の貸出処理を行う台間装置と、前記台間装置の機能に加え獲得した前記遊技媒体の計数機能を有する計数機能付台間装置と、前記記録媒体の有価価値ならびに獲得した前記遊技媒体の計数値を前記記録媒体に関連付けて管理する管理装置とを含んだ計数値管理システムおよび計数値管理方法に関し、特に、各台計数方式を採用した遊技台によって発行された遊技媒体の計数値が関連付けられた記録媒体によって、非各台計数方式の遊技台へ台移動をすることができる計数値管理システムおよび計数値管理方法に関するものである。
【背景技術】
【０００２】
従来から、パチンコ店などの遊技店に設置されるパチンコ機やパチスロ機といった遊技台と並設され、遊技台において遊技者が獲得した遊技媒体を計数する各台計数方式を行う台間装置が知られている。
【０００３】
たとえば、特許文献１には、台間装置では、遊技者が獲得した遊技媒体を各台計数方式で計数し、計数した遊技媒体の数量（以下、「計数値」と記載する）を、記録媒体に関連付ける技術が開示されている。
【先行技術文献】
【特許文献】
【０００４】
【特許文献１】特開平１０−１１８３２３号公報
【発明の概要】
【発明が解決しようとする課題】
【０００５】
しかしながら、特許文献１の技術では、計数値が関連付けられた記録媒体（以下、「計数カード」と記載する）を受け取った遊技者は、非各台計数方式の遊技台へ台移動を行って、計数カードによる再遊技をすることができないという問題があった。
【０００６】
このため、各台計数方式を採用した遊技台によって発行された遊技媒体の計数値が関連付けられた記録媒体によって、非各台計数方式の遊技台へ台移動をすることができる計数値管理システムおよび計数値管理方法をいかにして実現するかが大きな課題となっている。
【０００７】
本発明は、上述した従来技術による問題点を解消するためになされたものであって、各台計数方式を採用した遊技台によって発行された遊技媒体の計数値が関連付けられた記録媒体によって、非各台計数方式の遊技台へ台移動をすることができる計数値管理システムおよび計数値管理方法を提供することを目的とする。
【課題を解決するための手段】
【０００８】
上述した課題を解決し、目的を達成するため、請求項１にかかる発明は、貨幣若しくは有価価値と関連付けられた記録媒体を受け付けて遊技媒体の貸出処理を行う台間装置と、前記台間装置の機能に加え獲得した前記遊技媒体の計数機能を有する計数機能付台間装置と、前記記録媒体の有価価値ならびに獲得した前記遊技媒体の計数値を前記記録媒体に関連付けて管理する管理装置とを含んだ計数値管理システムであって、前記管理装置は、前記計数機能付台間装置から受信した前記記録媒体の媒体識別子と前記計数値とを関連付けて計数値情報として記憶する計数値情報記憶手段を備え、前記台間装置は、前記記録媒体から前記媒体識別子を読み取る媒体識別子読取手段と、前記媒体識別子読取手段によって読み取られた前記媒体識別子に基づいて前記管理装置から当該媒体識別子に関連付けられた前記計数値を取得する計数値取得手段と、前記計数値取得手段によって取得された前記計数値によって所定の払出数の前記遊技媒体の払出指示を行うとともに当該計数値から前記払出数を減算する減算手段とを備えたことを特徴とする。
【０００９】
また、請求項２にかかる発明は、上記の発明において、前記台間装置は、前記計数値によって払出を行う場合、前記遊技媒体の貸出を行う場合と同じ機構を用いて前記遊技媒体を払出す遊技媒体払出手段をさらに備えたことを特徴とする。
【００１０】
また、請求項３にかかる発明は、上記の発明において、前記台間装置は、前記計数値取得手段によって取得された前記計数値を表示する表示手段をさらに備えたことを特徴とする。
【００１１】
また、請求項４にかかる発明は、上記の発明において、遊技店に設けられ前記遊技媒体を計数する計数装置をさらに備え、前記計数装置は、前記媒体識別子読取手段と、前記媒体識別子読取手段によって読み取られた前記媒体識別子および前記遊技媒体を計数した前記計数値を前記管理装置へ送信する送信手段とを備えたことを特徴とする。
【００１２】
また、請求項５にかかる発明は、上記の発明において、遊技店に設けられ前記遊技媒体を払出す払出装置をさらに備え、前記払出装置は、前記媒体識別子読取手段と、前記計数値取得手段と、前記減算手段とを備えたことを特徴とする。
【００１３】
また、請求項６にかかる発明は、上記の発明において、前記台間装置は、貨幣若しくは有価価値からの前記遊技媒体の貸出を行う遊技媒体貸出指示手段をさらに備え、前記計数値と関連付けられた前記記録媒体を受け付けた後に、前記遊技媒体貸出指示手段を操作された場合、前記計数値からの前記遊技媒体を優先的に払出すことを特徴とする。
【発明の効果】
【００１４】
請求項１の発明によれば、管理装置が、計数機能付台間装置から受信した記録媒体の媒体識別子と計数値とを関連付けて計数値情報として記憶して、台間装置が、記録媒体から媒体識別子を読み取り、媒体識別子に基づいて管理装置から当該媒体識別子に関連付けられた計数値を取得して、計数値によって所定の払出数の遊技媒体の払出指示を行うとともに当該計数値から払出数を減算することとしたので、各台計数方式を採用した遊技台によって発行された遊技媒体の計数値が関連付けられた記録媒体によって、非各台計数方式の遊技台へ台移動をすることができるという効果を奏する。
【００１５】
また、請求項２の発明によれば、台間装置が、計数値によって払出を行う場合、遊技媒体の貸出を行う場合と同じ機構を用いて遊技媒体を払出すこととしたので、遊技者に対してサービスの低下を招くことなく本システムを導入することができるという効果を奏する。
【００１６】
また、請求項３の発明によれば、台間装置が、計数値を表示することとしたので、遊技者が最新の計数値を確認することができることにより、遊技者に対してサービスの向上を図ることができるという効果を奏する。
【００１７】
また、請求項４の発明によれば、遊技店に設けられ遊技媒体を計数する計数装置が、記録媒体から媒体識別子を読み取り、読み取られた媒体識別子および遊技媒体を計数した計数値を管理装置へ送信することとしたので、非各台計数方式の遊技台で獲得した遊技媒体の計数値を記録媒体に関連付けることで、記録媒体によって、さらに、非各台計数方式の遊技台へ台移動をすることができるという効果を奏する。
【００１８】
また、請求項５の発明によれば、遊技店に設けられ遊技媒体を払出す払出装置が、記録媒体から媒体識別子を読み取り、読み取られた媒体識別子に基づいて管理装置から当該媒体識別子に対応付けられた計数値を取得し、取得された計数値によって所定の払出数の遊技媒体を払出すとともに当該計数値から払出数を減算することとしたので、遊技台で獲得した遊技媒体の残数を返却することによって、遊技者に端数玉をすべて利用してもらうことができるという効果を奏する。
【００１９】
また、請求項６の発明によれば、台間装置が、貨幣若しくは有価価値からの遊技媒体の貸出を行い、計数値と関連付けられた記録媒体を受け付けた後に、計数値からの遊技媒体を優先的に払出すこととしたので、遊技者が不利益にならないように遊技媒体の払出を行うことができるという効果を奏する。
【図面の簡単な説明】
【００２０】
【図１】図１は、本発明にかかる計数値管理システムの概要を示す図である。
【図２】図２は、本実施例にかかる計数機能なし台間装置および管理装置の構成を示すブロック図である。
【図３】図３は、本実施例にかかる計数機能付き台間装置および管理装置の構成を示すブロック図である。
【図４】図４は、本実施例にかかる店内システムのシステム構成図である。
【図５】図５は、計数値情報の一例を示す図である。
【図６】図６は、本実施例にかかる計数機能なし台間装置が行う処理手順を示すフローチャートである。
【図７】図７は、本実施例にかかる景品管理装置での処理を説明する図である。
【図８】図８は、本実施例にかかる再遊技玉返却機での処理を説明する図である。
【図９】図９は、本実施例にかかる計数機での処理を説明する図である。
【図１０】図１０は、計数値情報の変形例を示す図である。
【発明を実施するための形態】
【００２１】
以下に添付図面を参照して、本発明にかかる計数値管理システムの好適な実施例を詳細に説明する。なお、以下では、本発明にかかる計数値管理システムの概要について図１を用いて説明した後に、本発明にかかる計数値管理システムについての実施例を図２〜図９を用いて説明することとする。
【００２２】
今回の本発明にかかる計数値管理システムでは、計数機能付き台間装置によって計数された計数値を対応付けた計数カードによって、計数機能をもたない台間装置に併設されるパチンコ機で再遊技ができる点に主たる特徴がある。
【００２３】
図１は、本発明にかかる計数値管理システムの概要を示す図である。同図に示すように、パチンコ店には、遊技者が獲得したパチンコ玉を計数した計数値を計数値情報として管理している管理装置と、計数機能付き台間装置と、計数機能なし台間装置とが接続されている。
【００２４】
ここで、計数機能付き台間装置に併設される遊技台にて遊技を行った後、遊技終了時には、計数機能付き台間装置で計数されたパチンコ玉の残数（以下、「計数値」と記載する）が、１２７０個であった場合にについて説明する。
【００２５】
この場合、計数機能付き台間装置は、装置内部に収納している計数カードのカードＩＤ００１と計数値１２７０個とを管理装置に送信することによって、管理装置は、従来から管理している遊技媒体を貸出すための有価価値情報であるプリペイド残高に加えて、計数値情報に、「カードＩＤ：００１、計数値：１２７０個」と登録する（同図の（１）参照）。
【００２６】
その後、計数機能付き台間装置では、カードＩＤが００１である計数カードを発行し（同図の（２）参照）、遊技者は発行された計数カードをもって、計数機能なし台間装置に併設される遊技台に台移動を行い、再遊技することができる（同図の（３）参照）。
【００２７】
そして、計数機能なし台間装置に併設される遊技台で再遊技を行う際には、カードＩＤ００１の計数カードを挿入して、管理装置の計数値情報に記録されるカードＩＤ００１に対応付けられた計数値によって、パチンコ玉の払出を行う。
【００２８】
ここで、遊技台では、１度数２５個ずつパチンコ玉の払出をすることができ、計数値からパチンコ玉の払出を行った払出数を減算する。たとえば、遊技台で、５０度数すなわち１２５０個（２５個×５０度数）払出を行ったとすると、計数値の残数は、２０個（１２７０個−１２５０個）となる。
【００２９】
遊技台では、１度数２５個ずつの払出のみに対応していることから、計数値の残数２０個は２５個に満たないため、払出すことができないので、遊技者は、端数玉を残して計数カードの返却を行う。遊技台が遊技媒体を１個単位で払出可能であれば、計数値の最後の１個まで（つまり計数値がなくなるまで）払出すことは可能である。
【００３０】
管理装置では、カード返却の際に、計数値情報に、「カードＩＤ：００１、計数値：２０個」と登録する。そして、遊技者は、景品交換カウンタへ計数カードを持参し、景品交換用の景品管理装置に計数カードを挿入することで、端数玉の数に応じた景品を受け取ることができる（同図の（４）参照）。
【００３１】
このように、各台計数方式を採用した遊技台によって発行された遊技媒体の計数値が関連付けられた記録媒体によって、非各台計数方式の遊技台へ台移動をすることができる計数値管理システムおよび計数値管理方法を提供することができる。以下では、本発明にかかる計数値管理システムについての実施例を詳細に説明する。
【実施例】
【００３２】
以下に添付図面を参照して、本発明にかかる計数値管理システムについての実施例を詳細に説明する。まず、本実施例にかかる計数値管理システムの構成について図２および図３を用いて説明する。
【００３３】
図２は、本実施例にかかる計数機能なし台間装置２０および管理装置３０の構成を示すブロック図である。なお、図２では、計数機能なし台間装置２０および管理装置３０の特徴点を説明するために必要な構成要素のみを抜粋して示している。
【００３４】
まず、計数機能なし台間装置２０は、カード読取部１１と、操作部１３と、通信Ｉ／Ｆ（インターフェース）１４と、記憶部１５と、制御部１６とを備えており、制御部１６は、計数値取得部１６ａと、減算部１６ｃと、計数値登録部１６ｄとをさらに備えており、記憶部１５は、計数値１５ａを記憶する。
【００３５】
カード読取部１１は、遊技者によって挿入された計数カードに関連付けられたカードＩＤを読み取って、計数値取得部１６ａへ受け渡す処理を行う処理部である。
【００３６】
操作部１３は、払出要求操作を行う払出ボタンおよびカード返却要求操作を行う返却ボタンを備えている。払出ボタンが押下されて払出要求を受け付けたら、減算部１６ｃへ処理を受け渡し、また、カード返却ボタンが押下されてカード返却要求を受け付けたら、計数値登録部１６ｄへ処理を受け渡すとともに、計数カードを返却する処理を行う処理部である。
【００３７】
通信Ｉ／Ｆ１４は、ＬＡＮカード等の通信デバイスで構成され、ＬＡＮ等のネットワーク経由で他装置との通信を可能にする。たとえば、遊技終了時に計数機能なし台間装置２０から管理装置３０へカードＩＤおよび計数値１５ａを送信する等、計数機能なし台間装置２０と管理装置３０との間のデータ送受信を行う。
【００３８】
記憶部１５は、不揮発性メモリやハードディスクドライブといった記憶デバイスで構成される記憶部であり、計数値取得部１６ａが取得した計数値１５ａを記憶する。また、計数値１５ａ以外にも当該カードＩＤに対応する有価価値残高（プリペイド残高）も記憶し、管理している。
【００３９】
計数値取得部１６ａは、カード読取部１１から受け渡されたカードＩＤに基づいて管理装置３０に備える計数値情報３２ａから、カードＩＤに対応付けられた計数値を取得して、記憶部１５の計数値１５ａに記憶する処理を行う処理部である。
【００４０】
減算部１６ｃは、操作部１３から払出要求を受け付けたら、計数値１５ａによってパチンコ玉の払出処理を行う処理部である。さらに、記憶部１５に記憶される計数値１５ａから払出した玉数を減算して、計数値１５ａに記憶する処理を併せて行う。
【００４１】
計数値登録部１６ｄは、操作部１３からカード返却要求を受け付けたら、通信Ｉ／Ｆ１４を介して管理装置３０へカードＩＤおよび計数値１５ａを送信することによって、計数値１５ａを計数値情報３２ａに登録する指示を出す処理を行う処理部である。
【００４２】
一方、管理装置３０は、通信Ｉ／Ｆ３１と、記憶部３２と、制御部３３とを備えており、制御部３３は、計数値情報登録部３３ａと、計数値通知部３３ｂとをさらに備えており、記憶部３２は、計数値情報３２ａを記憶する。
【００４３】
通信Ｉ／Ｆ３１は、ＬＡＮカード等の通信デバイスで構成され、ＬＡＮ等のネットワーク経由で他装置との通信を可能にする。たとえば、計数機能なし台間装置２０から計数値情報３２ａの問い合わせを受け付けた際に、計数値を送信する等、管理装置３０と計数機能なし台間装置２０との間のデータ送受信を行う。
【００４４】
記憶部３２は、不揮発性メモリやハードディスクドライブといった記憶デバイスで構成される記憶部であり、計数値情報登録部３３ａが通信Ｉ／Ｆ３１を介して受信したカードＩＤおよび計数値１５ａを計数値情報３２ａとして記憶する。また、計数値１５ａ以外にも当該カードＩＤに対応する有価価値残高（プリペイド残高）も記憶し、管理している。
【００４５】
計数値情報登録部３３ａは、計数値登録部１６ｄが送信したカードＩＤおよび計数値１５ａを通信Ｉ／Ｆ３１を介して受信したら、カードＩＤに対応付けて計数値１５ａや有価価値残高（プリペイド残高）を計数値情報３２ａに記憶する処理を行う処理部である。
【００４６】
計数値通知部３３ｂは、計数値取得部１６ａからカードＩＤを通信Ｉ／Ｆ３１を介して受信することによって、計数値の問い合わせが行われたら、計数値情報３２ａから受信したカードＩＤに対応付けられた計数値を、通信Ｉ／Ｆ３１を介して計数機能なし台間装置２０に通知する処理を行う処理部である。
【００４７】
つづいて、本実施例にかかる計数機能付き台間装置１０および管理装置３０の構成について図３を用いて説明する。図３は、本実施例にかかる計数機能付き台間装置１０および管理装置３０の構成を示すブロック図である。なお、図３では、図２と比較して同様の機能を発揮する部分については同一の符号を用いており、異なる機能について説明することとする。
【００４８】
計数機能付き台間装置１０が、計数機能なし台間装置２０と異なる部分は、計数機能がある点で計数機能なし台間装置２０とは異なる。具体的には、計数機能付き台間装置１０は、計数機能なし台間装置２０に設ける機能の他に、計数部１２、加算部１６ｂおよび図示しない払出部を備える。
【００４９】
計数部１２は、計数要求操作を行う計数ボタンを備え、計数機能なし台間装置２０に併設されるパチンコ機が特賞状態の際に、遊技者が獲得したパチンコ玉を計数し、加算部１６ｂに計数値を受け渡す処理を行う処理部である。遊技者がパチンコ玉を計数部１２に流すことにより、計数を開始するようにしてもよいし、別途計数開始ボタンを設け、計数開始ボタン押下で計数を開始するようにしてもよい。
【００５０】
加算部１６ｂは、計数部１２から受け渡された計数値と記憶部１５に記憶される計数値１５ａとを加算して、計数値１５ａに記憶する処理を行う処理部である。払出部は、パチンコ玉を払出すノズル等を備え、計数値分からのパチンコ玉を払出指示に基づいて払出す機能を持ち、１個単位のパチンコ玉を払出すことができる。
【００５１】
また、カード読取部１１ａは、計数カードが挿入されていた場合は、挿入されている計数カードに関連付けられたカードＩＤを読み取り、また、計数カードが挿入されていなかった場合は、装置内部に収納されている計数カードに関連付けられたカードＩＤを読み取る点で、計数機能なし台間装置２０のカード読取部１１とは異なる。
【００５２】
操作部１３ａは、カード返却ボタンが押下されてカード返却要求を受け付けたら、計数カードが挿入されていた場合は、計数カードを返却し、また、計数カードが挿入されていなかった場合は、装置内部に収納されている計数カードを発行する点で、計数機能なし台間装置２０の操作部１３とは異なる。
【００５３】
したがって、計数カードが挿入されていない場合に、計数機能付き台間装置１０は、遊技者が獲得したパチンコ玉を計数し、記憶部１５に記憶される計数値１５ａに加算する。また、計数機能付き台間装置１０は、操作部１３ａから払出要求を受け付けたら、計数値１５ａによってパチンコ玉の払出処理を行い、記憶部１５に記憶される計数値１５ａから払出した玉数を減算する。
【００５４】
そして、計数機能付き台間装置１０は、操作部１３ａからカード返却要求を受け付けたならば、通信Ｉ／Ｆ１４を介して管理装置３０へ装置内部に収納されている計数カードのカードＩＤおよび計数値１５ａを送信することによって、計数値１５ａを計数値情報３２ａに登録する指示を出し、装置内部に収納されている計数カードを発行することとなる。
【００５５】
つぎに、本実施例にかかる遊技店の店内システムのシステム構成について図４を用いて説明する。図４は、本実施例にかかる店内システムのシステム構成図である。
【００５６】
同図に示すように、遊技店に設置された管理装置３０には、ＬＡＮ（Local  Area  Network）等のネットワーク経由で、計数機能付き台間装置１０と、計数機能なし台間装置２０と、カード端末機６０と、再遊技玉返却機７０と、景品管理装置８０とが接続されている。さらに、管理装置３０は、管理装置３０が備えるデータベースに計数値情報３２ａを記憶して、計数カードや会員カードのカードＩＤに対応付けて持玉の計数値を管理している。
【００５７】
また、計数機能付き台間装置１０には、パチンコ機４０ａが接続されており、所定数の計数機能付き台間装置１０およびパチンコ機４０ａを含む一群を計数機能付き台間装置コーナーと呼ぶこととする。
【００５８】
一方、計数機能なし台間装置２０は、パチンコ機４０ｂが接続されており、所定数の計数機能なし台間装置２０およびパチンコ機４０ｂと、計数機５０と、カード端末機６０と、再遊技玉返却機７０とを含む一群を計数機能なし台間装置コーナーと呼ぶこととする。
【００５９】
パチンコ機４０ａおよびパチンコ機４０ｂは、パチンコ玉を遊技領域に発射して遊技者がパチンコ遊技を行う装置であり、本実施例では、カード対応のパチンコ機４０ａおよびパチンコ機４０ｂであるものとしている。
【００６０】
カード端末機６０には、計数機５０が接続されており、計数機５０およびカード端末機６０は、計数機能なし台間装置コーナーの端等に併設された計数装置であり、計数機５０で、遊技者が獲得したパチンコ玉を計数する。
【００６１】
そして、遊技者は、計数機５０によってパチンコ玉を計数する際、計数機５０に併設されたカード端末機６０に計数カードや会員カードをかざしたりすることで、計数された計数値が関連付けられた計数カードを受け取ることができる。
【００６２】
再遊技玉返却機７０は、計数機能なし台間装置コーナーの端等に併設されており、再遊技する際、カードに基づいてパチンコ玉の払出を行う。具体的には、再遊技玉返却機７０は、計数カードや会員カードに関連付けられた計数値を読込んで、計数値によってパチンコ玉の払出を行う。
【００６３】
景品管理装置８０には、カード端末機６０が接続されている。景品管理装置８０は、遊技店内の景品交換カウンタに併設された景品交換用の端末装置であり、図示しない交換玉数管理情報を用いて獲得玉と景品との交換を管理する。この交換玉数管理情報は、景品毎にその景品との交換に要する交換玉数を対応付けて記憶している。
【００６４】
また、遊技者は、景品交換カウンタへ計数カードを持参し、景品管理装置８０にカードを挿入したり、景品管理装置８０に併設されたカード端末機６０に計数カードや会員カードをかざしたりすることで、残数に応じた景品を受け取ることができる。
【００６５】
その際、景品交換カウンタ内の従業員が、遊技者により指定された景品に対応する交換ボタンを押下し、景品管理装置８０は、当該景品に相当する交換玉数を獲得玉から減算する交換制御を実行させ、その後に従業員による手作業で遊技者に受け渡す。
【００６６】
このように、遊技店には、会員をはじめ遊技者に対してサービスを提供するシステムとして、会員カードを取り扱う店内機器（例えば、計数機能なし台間装置２０や景品管理装置８０等）とこれらの店内機器を管理する図示しない会員管理装置とを含んで構成される会員管理システム、そして、カードを取り扱う店内機器（例えば、計数機能なし台間装置２０やカード端末機６０等）を含んで構成されるカードシステム、さらには、遊技台の台データを取り扱う店内機器（例えば、計数機能なし台間装置２０やパチンコ機４０ｂ等）を含んで構成されるシステムが併存している。
【００６７】
つぎに、管理装置３０に備える計数値情報３２ａの一例について図５を用いて説明する。図５は、計数値情報３２ａの一例を示す図である。同図に示すように、計数値情報３２ａは、「カードＩＤ」項目と、カードＩＤに対応する「計数値」項目とを含んでいる。
【００６８】
たとえば、遊技者が、計数機能付き台間装置１０に併設されるパチンコ機４０ａで遊技を行い、遊技終了時には、計数機能付き台間装置１０で計数されたパチンコ玉の残数（以下、「計数値」と記載する）が、１２７０個であった場合について説明する。
【００６９】
この場合、計数機能付き台間装置１０が、カードＩＤ００１と計数値１２７０個とを管理装置３０に送信することによって、計数値情報３２ａには、「カードＩＤ：００１、計数値：１２７０個」と記憶される（同図（Ａ）の１行目参照）。
【００７０】
このように、計数値情報３２ａには、カードＩＤに対応付けて計数値を管理する。一方、計数機能付き台間装置１０では、カードＩＤ００１である計数カードを発行し、遊技者は、発行された計数カードによって、計数機能なし台間装置２０に併設されるパチンコ機４０ｂに台移動を行い、再遊技することができる。
【００７１】
計数機能なし台間装置２０は、遊技者によってカードＩＤが００１である計数カードが挿入されると、まず、カードＩＤ００１を読込み、管理装置３０に対して、カードＩＤに対応付けられている計数値の問合わせを行う。
【００７２】
そして、問合せを受けた管理装置３０は、計数値情報３２ａに記憶されている情報に基づいてカードＩＤ００１に対応する計数値１２７０個を計数機能なし台間装置２０に通知する。
【００７３】
計数機能なし台間装置２０では、通知された計数値を用いて、パチンコ玉の払出をすることができる。計数機能なし台間装置２０で、１２５０個払出が行われ、カード返却ボタンが押下された場合、カードＩＤ００１と、払出数を減算した計数値の残数２０個（２０＝１２７０−１２５０）とを管理装置３０に送信する。
【００７４】
一方、管理装置３０では、受信したカードＩＤおよび計数値に基づいて計数値情報３２ａに、「カードＩＤ：００１、計数値：２０個」と登録することとする（同図（Ｂ）の１行目参照）。
【００７５】
つぎに、計数機能なし台間装置２０が実行する処理手順について図６を用いて説明する。図６は、本実施例にかかる計数機能なし台間装置が行う処理手順を示すフローチャートである。
【００７６】
同図に示すように、計数機能なし台間装置２０では、遊技者によって計数カードが挿入されたら（ステップＳ１０１）、カード読取部１１によって計数カードのカードＩＤを読込む（ステップＳ１０２）。
【００７７】
そして、計数値取得部１６ａでは、ステップＳ１０２で読込んだカードＩＤに基づいて管理装置３０の記憶部３２に記憶される計数値情報３２ａのカードＩＤに対応付けられた計数値を取得する（ステップＳ１０３）。
【００７８】
その後、計数機能なし台間装置２０は、計数機能なし台間装置２０に備える表示部等に、ステップＳ１０３で取得した計数値を表示して（ステップＳ１０４）、遊技者によって払出ボタンが押下されたことによって、払出要求を受け付ける（ステップＳ１０５）。
【００７９】
ここで、減算部１６ｃは、計数値１５ａが払出要求数より多いか否かの判定を行う（ステップＳ１０６）。減算部１６ｃが、計数値１５ａが払出要求数より多い、すなわち、計数値１５ａを用いてパチンコ玉の払出が可能であると判定したら（ステップＳ１０６：Ｙｅｓ）、払出要求数のパチンコ玉の払出処理を行う（ステップＳ１０７）。
【００８０】
そして、減算部１６ｃは、計数値１５ａから払出した玉数を減算して、計数値１５ａに記憶し（ステップＳ１０８）、最新の計数値１５ａを表示部等に再表示する（ステップＳ１０９）。遊技者によって、計数機能なし台間装置２０に併設されるパチンコ機で遊技を行っている間は、上記ステップＳ１０５〜ステップＳ１０９の処理を繰り返し実行する。
【００８１】
一方、ステップＳ１０６で、減算部１６ｃが、計数値１５ａが払出要求数に満たない、すなわち、計数値１５ａを用いてパチンコ玉の払出ができないと判定したら（ステップＳ１０６：Ｎｏ）、計数機能なし台間装置２０は、その旨を報知して（ステップＳ１１０）、ステップＳ１１１の処理へ移行する。ただし、前述したように、１個単位での払出が可能であれば、ステップＳ１０６でＮｏの場合は、残り計数値分すべてを払出すようにしてもよい。
【００８２】
操作部１３では、遊技終了時に、遊技者によって計数カードの返却ボタンが押下されたことによって、カード返却要求を受け付けたら（ステップＳ１１１）、計数値登録部１６ｄでは、管理装置３０へ、カードＩＤに対応付けて計数値を登録する指示を出す（ステップＳ１１２）。
【００８３】
その後、計数機能なし台間装置２０は、計数カードを返却して（ステップＳ１１３）、本実施例にかかる計数機能なし台間装置が行う一連の処理を終了する。図６のフローチャートにはないが、「計数値＜払出要求数」になったら、計数カードを自動返却するようにしてもよい。
【００８４】
つぎに、遊技終了後に、計数カードに計数値が残った場合の処理について、図７を用いて説明する。図７は、本実施例にかかる景品管理装置での処理を説明する図である。同図に示すように、遊技店に設置された管理装置３０には、計数機能なし台間装置２０と、景品管理装置８０が接続されている。
【００８５】
ここで、カードＩＤ００１が関連付けられている計数カードを用いて、計数機能なし台間装置２０に併設されるパチンコ機にて再遊技を行った後（同図の（１）参照）、遊技終了時に、計数機能なし台間装置２０の計数値１５ａが、１００個であった場合について説明する。
【００８６】
計数機能なし台間装置２０が、カードＩＤ００１の計数カードを返却する際に（同図の（２）参照）、管理装置３０では、計数値情報３２ａに、カードＩＤ：００１および計数値：１００個を登録する（同図上部の表参照）。
【００８７】
そして、遊技者は、景品交換カウンタへカードＩＤ００１の計数カードを持参し、景品管理装置８０に併設されたカード端末機６０に計数カードをかざす、あるいは、挿入することで、計数値（ここでは１００個）に応じた景品を受け取ることができる（同図の（３）参照）。
【００８８】
具体的には、カード端末機６０が、計数カードのカードＩＤを読み取って、読み取ったカードＩＤに基づいて管理装置３０の計数値情報３２ａに記憶された計数値を取得し、景品管理装置８０側で、取得した計数値に応じた景品を交換することとなる。
【００８９】
つぎに、遊技終了後に、計数カードに端数玉が残った場合に、パチンコ玉を払出す処理について、図８を用いて説明する。図８は、本実施例にかかる再遊技玉返却機での処理を説明する図である。
【００９０】
同図に示すように、遊技店に設置された管理装置３０には、計数機能なし台間装置２０と、再遊技玉返却機７０が接続されている。この計数機能なし台間装置２０では、１度数２５個ずつパチンコ玉の払出をすることができる。
【００９１】
ところが、計数機能なし台間装置２０で、１度数２５個ずつの払出をする場合、計数値１５ａの残数が２５個に満たないと、払出を行うことができないため、計数カードに２５個に満たない計数値１５ａが残ってしまうことになる。
【００９２】
ここで、カードＩＤ００１が関連付けられている計数カードを用いて、計数機能なし台間装置２０に併設されるパチンコ機にて再遊技を行った後（同図の（１）参照）、計数機能なし台間装置２０の計数値１５ａが、２０個であった場合にについて説明する。
【００９３】
この場合、払出を行うことができないため、遊技者は返却ボタンが押下することで、計数カードのカード返却を行う（同図の（２）参照）際に、管理装置３０は、計数値情報３２ａに、カードＩＤ：００１および計数値：２０個を登録する（同図上部の表参照）。
【００９４】
そして、遊技者は、計数機能なし台間装置コーナーの端等に併設されている再遊技玉返却機７０へ出向き、再遊技玉返却機７０にカードＩＤ００１の計数カードをかざす、あるいは、挿入することで、計数カードに関連付けられている計数値（ここでは２０個）のパチンコ玉が返却される（同図の（３）参照）。その後、遊技者は、返却されたパチンコ玉をもって、いずれかのパチンコ機での再遊技をすることができる。
【００９５】
具体的には、再遊技玉返却機７０が、計数カードのカードＩＤを読み取って、読み取ったカードＩＤに基づいて管理装置３０の計数値情報３２ａに記憶された計数値を取得し、再遊技玉返却機７０で、取得した計数値分のパチンコ玉を返却することとなる。
【００９６】
つぎに、遊技者がパチンコ玉を獲得して、さらに遊技終了後に、計数カードに計数値が残っていた場合の処理の一例について、図９を用いて説明する。図９は、本実施例にかかる計数機での処理を説明する図である。
【００９７】
同図に示すように、遊技店に設置された管理装置３０には、計数機能なし台間装置２０と、カード端末機６０が接続されている。さらに、カード端末機６０には、パチンコ玉を計数する計数機５０が併設されている。
【００９８】
ここで、カードＩＤ００１が関連付けられている計数カードを用いて、計数機能なし台間装置２０に併設されるパチンコ機にて再遊技を行った際に（同図の（１）参照）、遊技者がパチンコ玉を獲得して、さらに、計数カードに計数値が２０個残っている場合について説明する。
【００９９】
遊技終了時に、計数機能なし台間装置２０が、カードＩＤ００１の計数カードを返却する（同図の（２）参照）際には、管理装置３０は、計数値情報３２ａに、カードＩＤ：００１および計数値：２０個を登録する。
【０１００】
そして、遊技者または遊技店の従業員は、計数機能なし台間装置コーナーの端等に併設されている計数機５０へ獲得したパチンコ玉を持参し、計数機５０によってパチンコ玉の計数を行う（同図の（３）参照）。
【０１０１】
計数機５０では、計数が終了したら、計数機５０の前面等に備える表示部に計数値が表示される（ここでは１０００個であったとする）。その後、遊技者によって、計数機５０に併設されたカード端末機６０にカードＩＤ００１の計数カードをかざす、あるいは、挿入することで、管理装置３０では、計数値情報３２ａのカードＩＤ００１に対応付けられた計数値に、計数機５０で計数した計数値を加算する（同図の（４）参照）。
【０１０２】
具体的には、カード端末機６０は、計数カードのカードＩＤを読み取って、読み取ったカードＩＤ００１および計数機５０で計数した計数値１０００個を管理装置３０に送信することで、計数値を計数値情報３２ａに登録または更新する指示を出す。
【０１０３】
一方、管理装置３０で、受信したカードＩＤ００１に対応付けられた計数値が記憶されていたと判定した場合には、カードＩＤ００１に対応付けられた計数値（２０個）と、受信した計数値（１０００個）を加算して、計数値情報３２ａの計数値を１０２０個と更新する（同図上部の表参照）。
【０１０４】
また、管理装置３０で、受信したカードＩＤに対応付けられた計数値情報３２ａがないと判定した場合には、受信したカードＩＤに対応付けて受信した計数値を計数値情報３２ａに新規登録する。
【０１０５】
その後、遊技者は景品交換カウンタへカードＩＤ００１の計数カードを持参して、図７の処理で行った景品交換を行うことができる。あるいは、遊技者は計数カードによって、いずれかのパチンコ機での再遊技をすることができる。
【０１０６】
なお、ここでは、計数機５０が計数した計数値をカード端末機６０経由で計数値情報３２ａに登録するようにしたが、計数機５０で計数した計数値については、計数機５０が計数値を記載したレシートを発行してもよい。
【０１０７】
この場合、景品管理装置８０は、レシートに記載された計数値を読み取り、読み取った計数値に応じた景品を受け取ることができる。そこで、遊技者は、計数値が残っている計数カードとレシートとを景品交換カウンタへ持参して、計数カードとレシートとを別々に景品交換を行ってもよい。また、景品管理装置８０が、計数カードの計数値およびレシートの計数値を合算して、合算した計数値によって景品交換を行ってもよい。
【０１０８】
ところで、これまで本発明の実施例について説明してきたが、本発明は上記した実施例以外にも、種々の異なる形態にて実施されてよいものである。本実施例においては、計数機能付き台間装置１０に併設されているパチンコ機と、計数機能なし台間装置２０に併設されているパチンコ機が、同じ交換レートでパチンコ玉を払出す場合について説明した。
【０１０９】
しかしながら、本発明はこれに限られるものではない。そこで、以下では、計数値情報３２ａの変形例について図１０を用いて説明する。図１０は、計数値情報３２ａの変形例を示す図である。
【０１１０】
近年、遊技店においては、交換レートが異なる複数の遊技台コーナーを設けるケースが増加してきている。たとえば、パチンコ玉を１玉４円で払出す４円遊技台コーナーとパチンコ玉を１玉１円で払出す１円遊技台コーナーとを併設する遊技店も見受けられる。
【０１１１】
ここで、同図に示すように、変形例にかかる計数値情報は、カードＩＤに関連付けて、「レート」項目が追加されている点で、図５に示した計数値情報３２ａとは異なる。この「レート」項目には、計数機能付き台間装置１０でパチンコ玉を計数した計数値とともに、計数元のパチンコ機の交換レートをカードＩＤに関連付けて登録しておく。
【０１１２】
そして、同図に示した計数値情報が関連付けられた計数カードによって、計数元のレートとは異なる交換レートのパチンコ機で再遊技する場合、計数値情報の計数値を再遊技するパチンコ機のレートに換算して、払出をすることができる。
【０１１３】
たとえば、４円遊技台で獲得したパチンコ玉を計数機能付き台間装置１０で計数し、カード返却時に、カードＩＤ００３の計数カードに計数値２００個を対応付けて計数値情報に登録する場合について説明する。
【０１１４】
この場合、計数機能付き台間装置１０では、カードＩＤ００３の計数カードを返却する際、管理装置３０は、カードＩＤ００３に対応付けて計数値２００個およびレート４円を計数値情報に登録する（同図表の３行目参照）。
【０１１５】
そして、カードＩＤ００３である計数値カードを有する遊技者が、計数機能なし台間装置２０に併設されている１円遊技台にて再遊技を行う際には、計数機能なし台間装置２０では、カードＩＤ００３に対応付けられた計数値を換算した値によって払出を行う。
【０１１６】
具体的には、カードＩＤ００３に対応付けられた計数値２００個にレート（４円）を乗じて、再遊技を行うパチンコ機の交換レート（１円）で割ることによって、換算値８００個（８００個＝２００個×４円÷１円）を得ることができる。
【０１１７】
そして、カードＩＤ００３である計数値カードが挿入された計数機能なし台間装置２０では、換算値８００個を用いて、払出を行うこととなる。このように、計数値情報に計数元のパチンコ機のレート項目を追加することによって、異なるレートのパチンコ機への台移動を行っての再遊技が可能となる。なお、異なるレートへ換算する際、手数料として所定の率のパチンコ玉数を計数値カードの計数値から減算することとしてもよい。
【０１１８】
また、上記した変形例では、計数元のレートとは異なる交換レートのパチンコ機で再遊技を行う場合、レートの移動による計数値の換算を行う際、遊技客の承認を得る行為を行うようにしてもよい。たとえば、払出ボタンが押下されると、台間装置は、「計数値のレートの変更を行いますが、よろしいですか？」「ＯＫなら再度払出ボタンを押下ください」等の報知を行うことによって、遊技客の承認行為を行わせる。遊技客は、報知を確認し、再度払出ボタンを押下することで、異なるレートのパチンコ機での再遊技が可能となる。
【０１１９】
これにより、各台計数方式を採用した遊技台によって発行された遊技媒体の計数値が関連付けられた記録媒体によって、非各台計数方式の異なる交換レートの遊技台へ台移動をすることができる。
【０１２０】
また、異なる交換レートへ移動して再遊技を行う別の変形例として、計数値を再遊技するパチンコ機のレートに換算して、払出をするのではなく、遊技店の会員に対するサービスである貯玉を行ってからレート変換を行うようにしてもよい。
【０１２１】
なお、貯玉とは遊技客が獲得したパチンコ玉を遊技店に預けることができる会員用のサービスのことで、遊技店側は、遊技客が預けたパチンコ玉の数(以下、「貯玉数」と記載する)を貯玉口座に管理する。そして、遊技客は、貯玉口座を利用することによって当日または翌日以降にパチンコ玉を払出してパチンコ機で遊技を行うこと、すなわち、貯玉による再遊技を行うことができる。
【０１２２】
また、非会員であったとしても、仮想会員という形式で一旦会員になった状態にして、貯玉を行い、その後レート変換を行うようにしてもよい。なお、貯玉を行ってレート変換する場合でも、上記したような認証行為を行うようにしてもよい。
【０１２３】
また、上述した変形例では、レート４円および１円を併用した場合について説明したが、レート４円、２円および１円というように、２種類以上の各種レートのパチンコ機を設けた遊技店で適用してもよい。
【０１２４】
ここで、異なる交換レートへレート変換を行う場合、上記した実施例ではレートに基づいて換算値を算出しているが、レートに応じて特殊景品へ交換する交換率(以下、単に「交換率」と記載する)が異なる運用がある。そのような運用の場合は、交換率も考慮して換算値を算出するようにしてもよい。
【０１２５】
たとえば、１円レートから４円レートに移行する場合について説明する。遊技店の運用形態として、景品交換する際、４円レートは等価、すなわち、同価値の特殊景品と交換できるが、１円レートの場合は、交換率が５０％になるといった運用であるとする。
【０１２６】
４円レートのパチンコ玉が１００００個であれば、４００００円（１００００個×４円）相当の特殊景品と交換できるが、１円レートパチンコ玉が１００００個であれば５０００円（１００００個×１円×５０％）相当の特殊景品との交換になる。
【０１２７】
このような運用形態の遊技店であれば、本実施例の場合、１円レート１００００個を４円レート２５００個に移行し、４円レートに移行されたパチンコ玉を特殊景品と交換された場合に、遊技店が不利益を被ることになる。
【０１２８】
具体的には、１円レート１００００個は５０００円相当の特殊景品となるが、４円レートに移行すると１００００円（２５００個×４円）相当になってしまう。したがって、この換算率を考慮したうえで移行しなければならない。この場合、１円レート１００００個を４円レートへ移行すると、１２５０個となるよう換算値を算出する。
【０１２９】
上述してきたように、本実施例および変形例では、計数機能なし台間装置２０で、計数カードのカードＩＤを読み取って、読み取ったカードＩＤに基づいて管理装置３０の計数値情報３２ａに記憶された計数値を取得し、取得した計数値を用いてパチンコ玉の払出を行うようにした。これにより、各台計数方式を採用した遊技台によって発行された遊技媒体の計数値が関連付けられた記録媒体によって、非各台計数方式の遊技台へ台移動をすることができるようになる。
【０１３０】
なお、本発明請求項記載の台間装置は計数機能なし台間装置２０、管理装置は管理装置３０、計数値情報記憶手段は計数値情報３２ａ、媒体識別子読取手段はカード読取部１１、計数値取得手段は計数値取得部１６ａ、減算手段は減算部１６ｃに相当するものである。
【０１３１】
なお、上述した実施例では、計数機能なし台間装置２０に計数カードを挿入することによって、遊技者が計数カードに関連付けられた計数値を用いて払出を行うようにしたが、計数カードを挿入する際、計数機能なし台間装置２０に備える操作部等より、暗証番号を入力させてもよい。
【０１３２】
この場合、たとえば、遊技者が計数カードを紛失し、紛失した計数カードによって、不審者等に勝手に払出しが行われてしまった場合に、被害の拡大を防止するとともに盗難等の抑制をすることができる。
【０１３３】
また、上述した実施例では、計数機能なし台間装置２０では、１度数２５個ずつパチンコ玉の払出をすることができるようにしたが、計数値分のパチンコ玉を１個ずつ払出できるようにしてもよい。
【０１３４】
この場合、計数カードに端数のパチンコ玉が残ってしまうこともなく、遊技者が再遊技玉返却機７０等に出向いて端数のパチンコ玉を返却するといった煩わしさがなくなり、遊技者に対してサービスの向上を図ることができる。
【０１３５】
また、計数値を払出す時の払出ボタンは専用で備えるようにしてもよいし、または、従来の台間装置にある玉貸ボタンと兼用にしてもよい。後者（兼用）の場合は、計数カードには、プリペイド残高と計数値が関連付けられているが、玉貸ボタン押下時、優先的に計数値分からパチンコ玉を払出すようにする。
【０１３６】
プリペイド価値を一旦パチンコ玉に換えてしまうと、換算率の関係で、等価価値の景品への変換を行う遊技店はあまりなく、遊技者に不利益を与えることにもなりかねない。また、計数値は間違えて払出しても計数すれば元に戻るだけであり、遊技者にとって不利益を与えることはないので、計数値分から払出す方が効果はある。
【０１３７】
また、上述した実施例では、台間装置に計数機能を付けた計数機能付き台間装置１０としたが、計数機能は台間装置と一体である必要はなく、別体であっても、計数結果と関連付けられた計数カードを排出する台間装置であってもよい。
【０１３８】
また、上述した実施例では、計数機能付き台間装置１０で発行した計数カードのカードＩＤに計数値を関連付けるようにしたが、遊技店の会員となった遊技者へ配布される会員カードのカードＩＤに計数値を関連付けるようにしてもよい。この場合、会員カードを有する遊技者に、新たに計数カードを発行しなくてもよいため、計数カードの発行にかかるコストを削減することができる。
【０１３９】
また、上述した実施例では、計数機能付き台間装置１０で発行した計数カードのカードＩＤに計数値を関連付けるようにした。しかし、近年では、唯一の識別子をもつＦｅｌｉＣａ（登録商標）と呼ばれる、ＩＣ（Integrated  Circuit）チップを内蔵した携帯電話端末（以下、「おサイフケータイ（登録商標）」と記載する）が知られている。
【０１４０】
そこで、計数機能付き台間装置１０および計数機能なし台間装置２０は、遊技者の所有するおサイフケータイ（登録商標）機能をもつ携帯電話端末をかざすことによって、おサイフケータイ（登録商標）の識別子（以下、「ＩＤｍ」と記載する）を読み取る。
【０１４１】
そして、管理装置３０では、読み取ったＩＤｍと、ＩＤｍに関連付けられた計数値とを計数値情報に記録するようにしてもよい。この場合、遊技店は計数カードを発行しなくてもよいため、計数カードの発行にかかるコストを大幅に削減することができる。
【０１４２】
また、上述した実施例では、パチンコ遊技に適用する例を説明したが、パチスロ遊技を対象としてさらに含めた場合又はパチスロ遊技のみを対象とした場合にも同様に適用することができる。
【産業上の利用可能性】
【０１４３】
以上のように、本発明にかかる計数値管理システムでは、各台計数方式を採用した遊技台と、非各台計数方式の遊技台が混在している遊技店で再遊技をする場合に有用であり、特に、各台計数方式を採用した遊技台によって発行された遊技媒体の計数値が関連付けられた記録媒体によって、非各台計数方式の遊技台へ台移動をする場合に適している。
【符号の説明】
【０１４４】
１０    計数機能付き台間装置
１１    カード読取部
１１ａ  カード読取部
１２    計数部
１３    操作部
１３ａ  操作部
１４    通信Ｉ／Ｆ
１５    記憶部
１５ａ  計数値
１６    制御部
１６ａ  計数値取得部
１６ｂ  加算部
１６ｃ  減算部
１６ｄ  計数値登録部
２０    計数機能なし台間装置
３０    管理装置
３１    通信Ｉ／Ｆ
３２    記憶部
３２ａ  計数値情報
３３    制御部
３３ａ  計数値情報登録部
３３ｂ  計数値通知部
４０ａ  パチンコ機
４０ｂ  パチンコ機
５０    計数機
６０    カード端末機
７０    再遊技玉返却機
８０    景品管理装置
【図１】
2010246900.tif 000003
【図２】
2010246900.tif 000004
【図３】
2010246900.tif 000005
【図４】
2010246900.tif 000006
【図５】
2010246900.tif 000007
【図６】
2010246900.tif 000008
【図７】
2010246900.tif 000009
【図８】
2010246900.tif 000010
【図９】
2010246900.tif 000011
【図１０】
2010246900.tif 000012